(57)【要約】      （修正有）【課題】高齢者による誤操作を防止し、かつ、高齢者以外が操作する場合は、面倒な操作による煩わしさを軽減する制御装置を提供する。【解決手段】所定の周波数の高周波音を、所定の規則に基づいて発音させる高周波音発生部と、入力を受け付ける入力部と、受け付けた前記入力が、前記規則と所定の対応関係を有しているかを判定する判定部と、前記判定に基づき、所定の操作に関する制御を行う制御部とを有し、前記所定の対応関係を有していると判定された場合は、前記制御部は前記所定の操作を可能とし、前記所定の対応関係を有していないと判定された場合は、前記制御部は前記所定の操作を制限する。【選択図】図４
2018056787.tif 000002
【特許請求の範囲】
【請求項１】
所定の周波数の高周波音を、所定の規則に基づいて発音させる高周波音発生部と、
入力を受け付ける入力部と、
受け付けた前記入力が、前記規則と所定の対応関係を有しているかを判定する判定部と、
前記判定に基づき、所定の操作に関する制御を行う制御部と、
を、有し、
前記所定の対応関係を有していると判定された場合は、前記制御部は前記所定の操作を可能とし、前記所定の対応関係を有していないと判定された場合は、前記制御部は前記所定の操作を制限することを特徴とする制御装置。
【請求項２】
前記所定の周波数は、可聴周波数範囲内で前記所定の操作の操作制限対象者が聞き取り困難な周波数であることを特徴とする請求項１記載の制御装置。
【請求項３】
前記所定の周波数は、可聴周波数範囲内で高齢者が聞き取り困難な周波数であることを特徴とする請求項１記載の制御装置。
【請求項４】
前記所定の周波数を変更可能な周波数変更部を有することを特徴とする請求項１から３記載の制御装置。
【請求項５】
前記高周波音の発音音量を変更可能な発音音量変更部を有することを特徴とする請求項１から４記載の制御装置。
【請求項６】
前記規則は前記高周波音を複数回発音させることを特徴とする請求項１から５記載の制御装置。
【請求項７】
前記発音と、前記発音に対応する前記入力と、前記判定と、を行う工程を複数回行い、複数回の前記判定の結果が、前記所定の対応関係を有していると判定された場合は、前記制御部は前記所定の操作を可能とし、前記所定の対応関係を有していないと判定された場合は、前記制御部は前記所定の操作を制限することを特徴とする請求項６記載の制御装置。
【請求項８】
前記所定の対応関係の有無にかかわらず、前記所定の操作を可能とするリセット操作を受け付けるリセット部を有することを特徴とする請求項１から７記載の制御装置。
【請求項９】
前記制御装置は電話機であることを特徴とする請求項１から８記載の装置。
【発明の詳細な説明】
【技術分野】
【０００１】
本発明は、制御装置に関する。
【背景技術】
【０００２】
安全性に関する操作や、重要なデータを扱う操作に対して、子供のいたずらを防止するいわゆるチャイルドロック技術は広く知られている。例えば子供と大人の聴力（可聴周波数）の違いを利用して、チャイルドロック中にチャイルドロック解除操作が行われた場合は、高周波のモスキート音を発生させ、モスキート音が聞こえる子供に対しては不快感を与えチャイルドロック解除を妨げ、モスキート音が聞こえない大人に対しては不快感を与えず、容易にチャイルドロック解除操作が行える技術が知られている。
【先行技術文献】
【特許文献】
【０００３】
【特許文献１】特開２０１３−１７０７８４公報
【発明の概要】
【発明が解決しようとする課題】
【０００４】
しかしながら、上述の背景技術では、子供のいたずら防止に対しては効果があるが、高齢者、特に認知症を患っている高齢者や、物忘れがひどくなっている高齢者など、誤操作の恐れのある人（以下高齢者と記す）による操作を制限することはできなかった。このように安全性に関わる操作や、重要なデータを扱う操作等を、高齢者に対して制限する技術がないという課題があった。高齢者による誤操作を防止するために、パスワードや認証カードを用いる方法や、複雑な操作が必要となる様にする技術は一般に知られているが、高齢者以外が操作を行いたい場合、煩わしいという課題があった。また指紋認証技術などもあるが、コストがかかるため、どのような制御装置にも設置できるものではない、という課題もあった。
【０００５】
本発明は、上記課題に鑑みてなされたものであり、高齢者による誤操作を防止し、高齢者以外が操作する場合の操作制限解除の煩わしさを軽減し、またコストの上昇を抑えることが可能な制御装置を提供するものである。
【課題を解決するための手段】
【０００６】
所定の周波数の高周波音を、所定の規則に基づいて発音させる高周波音発生部と、入力を受け付ける入力部と、受け付けた前記入力が、前記規則と所定の対応関係を有しているかを判定する判定部と、前記判定に基づき、所定の操作に関する制御を行う制御部と、を、有し、前記所定の対応関係を有していると判定された場合は、前記制御部は前記所定の操作を可能とし、前記所定の対応関係を有していないと判定された場合は、前記制御部は前記所定の操作を制限することを特徴とする。
【０００７】
上記制御装置において、前記所定の周波数は、可聴周波数範囲内で前記所定の操作の操作制限対象者が聞き取り困難な周波数であることを特徴とする。
【０００８】
上記制御装置において、前記所定の周波数は、可聴周波数範囲内で高齢者が聞き取り困難な周波数であることを特徴とする。
【０００９】
上記制御装置において、前記所定の周波数を変更可能な周波数変更部を有することを特徴とする。
【００１０】
上記制御装置において、前記高周波音の発音音量を変更可能な発音音量変更部を有することを特徴とする。
【００１１】
上記制御装置において、前記規則は前記高周波音を複数回発音させることを特徴とする。
【００１２】
上記制御装置において、前記発音と、前記発音に対応する前記入力と、前記判定と、を行う工程を複数回行い、複数回の前記判定の結果が、前記所定の対応関係を有していると判定された場合は、前記制御部は前記所定の操作を可能とし、前記所定の対応関係を有していないと判定された場合は、前記制御部は前記所定の操作を制限することを特徴とする。
【００１３】
上記制御装置において、前記所定の対応関係の有無にかかわらず、前記所定の操作を可能とするリセット操作入力を受け付けるリセット部を有することを特徴とする。
【００１４】
上記制御装置において、前記制御装置は電話機であることを特徴とする。
【発明の効果】
【００１５】
本発明によれば、安全性に関する操作や、重要なデータ扱う操作を、高齢者に対して制限し、また高齢者以外が操作する場合の煩わしさを軽減する制御装置を提供することができる。
【図面の簡単な説明】
【００１６】
【図１】本発明の実施形態に係る電話機の外観を示す図である。
【図２】本発明の実施形態に係る電話機の構成を示すブロック図である。
【図３】本発明の実施形態に係る可聴年齢と周波数の関係を示す表である。
【図４】本発明の実施形態に係る電話機のフローチャートである。
【図５】本発明の実施形態に係る電話機のフローチャートである。
【発明を実施するための形態】
【００１７】
本発明の制御装置は、安全性に関する操作や重要なデータ扱う操作を、高齢者に対して制限するものである。制御装置を搭載する装置の例としては、自動車などの車両、工作機械、農業用機器、暖房器具、コンロのような安全性に関するもの、またパーソナルコンピュータ、電話機（携帯電話機、固定電話機）の様に重要なデータを扱うもの等、色々な装置に適用可能である。
以下、電話番号帳等の重要なデータを扱う操作を行う電話機を例にとって、本発明の制御装置に係る実施形態について説明する。なお本発明は携帯電話機、親子電話機、送受話器の付属したファクシミリ装置等でも実施可能であるが、コードレスホンを例にとる。
【００１８】
図１は、本発明の実施形態に係る電話機として、コードレスホン１の外観を示す図である。図１に示すようにコードレスホン１は、本体２と、送受話器３、とを備える。送受話器３は、待機時は本体２のクレイドル４に載置され、送受話時にはクレイドル４から取り外し使用される。図１は送受話器３がクレイドル４から取り外されている状態である。本体２と送受話器３は無線通信によって接続されている。
【００１９】
本体２には、例えば現在時刻、通話時間、電話番号等の各種情報を表示可能な表示部５、各種操作ボタンである操作部６が設けられている。操作部６は、電話番号等を入力するテンキーや、図示していない保留ボタン、留守番電話ボタンなどが含まれる。
【００２０】
送受話器３には、操作部９、表示部８、受話口７、送話口１０が配置されている。操作部９及び表示部８は、本体２の操作部６及び表示部５と、それぞれ同様の機能を有している。本発明では、受話口７は、後述する高周波音を発音するスピーカー４６が内蔵されている。
【００２１】
図２は、本発明の実施形態に係るコードレスホン１の構成を示すブロック図である。図２に示すように、本体２は主制御部２１と、RAM(Random Access Memory)２３と、不揮発性メモリ２４と、公衆回線制御部２５と、リセット部２７と、スピーカー２８と、表示部２９と、操作部３０と、無線部２２と、を備える。公衆回線制御部２５は公衆回線２６に接続される。
【００２２】
主制御部２１は、不揮発性メモリ２４に記憶されている制御プログラムに従って、本体２を構成する各部を制御する。不揮発性メモリ２４は、制御プログラム等を記憶している。RAM２３は、主制御部２１の主メモリとして機能する。主制御部２１は、公衆回線制御部２５を制御し、他の電話機と回線を接続する。
【００２３】
表示部２９は、例えば現在時刻、通話時間、電話番号等の各種情報を表示可能な表示装置からなる。操作部３０は電話番号等を入力するテンキーや、保留ボタン、留守番電話ボタンなどが含まれる。
スピーカー２８は、通話の音声、鳴動音、留守番電話の内容、アラーム音などを発音させる。本発明では、後述する高周波音を、スピーカー２８から発音させても良い。
【００２４】
図２に示すように、送受話器３は主制御部４１、RAM(Random Access Memory)４３、不揮発性メモリ４４、無線部４２、表示部４７、操作部４８、スピーカー４６、マイク４９と、高周波音信号発生部４５を備える。
主制御部４１は、不揮発性メモリ４４に記憶されている制御プログラムに従って、送受話器３を構成する各部を制御する。不揮発性メモリ４４は、制御プログラム等を記憶している。RAM４３は、主制御部４１の主メモリとして機能する。
【００２５】
本体２と、送受話器３とは、無線部２２と、無線部４２とを介して無線により接続される。本体２の主制御部２１と、送受話器３の主制御部４１は、無線通信により協働して、コードレスホン１を制御する。
【００２６】
マイク４９は図１の送話口１０に相当し、音声を集音する。スピーカー４６は図１の受話口７に相当し、音声を出力する。高周波音声信号発生部４５は、スピーカー４６から発音される高周波音（後述）の信号を生成する。高周波音信号発生部４５は主制御部４１によって制御される。
【００２７】
次に、図３を参照し、音の周波数と可聴年齢の関係を説明する。人間の可聴周波数範囲はおよそ２０Ｈｚから２００００Ｈｚであるが、一般に知られているように、年齢が上がるにつれて高い周波数の音は聞こえにくくなる。８０００Ｈｚ程度以下の周波数の音はほぼ全年齢で聞き取ることが可能であるが、年齢が上がるにつれ聞こえる音の周波数の上限は下がっていく。１７０００Ｈｚ程度以上の周波数はいわゆるモスキート音で、大人には聞こえ難いとされる。なお図３で示した音の周波数と可聴年齢の関係の表は一例であり、個人差がある。
【００２８】
本発明は、高齢者には聞こえにくい高周波音の特性を利用するものである。なお本明細書では、高周波音を、人間の可聴周波数範囲内で、対象となる装置の操作制限対象者が聞き取り困難、もしくは聞こえない周波数と定義する。また、人間の可聴周波数範囲内で、高齢者が聞き取り困難、もしくは聞こえない周波数の音と定義しても良い。
【００２９】
図４を参照して、本発明の制御装置を搭載したコードレスホン１の動作フローについて説明する。動作フローは不揮発性メモリ４４に制御プログラムとして格納されている。最初にコードレス電話機１の所定の操作に対してロック（操作制限）がかかっているか否かを判定する（Ｓ１）。所定の操作の例としては、コードレスホン１に記憶された電話帳データのリセットや、編集である。コードレスホン１には所定の操作を制限するロック機能が備えられ、例えば本体２の操作部３０により、パスワードを入力してロックをかける。なお、操作の制限は、所定の操作が完全にできないようにしても良いし、操作できる範囲を狭めても良い。
【００３０】
ロックがかかっていない場合（Ｓ１：Ｎｏ）は、そのまま本動作フローを終了する。ロックがかかっていると判定した場合（Ｓ１：Ｙｅｓ）は、ロック解除操作が行われたか否かを判定する（Ｓ２）。ロック解除操作は例えば本体２の操作部３０により行うことができる。操作部３０に専用のロック解除ボタンを設けても良いし、テンキーの組み合わせで代用しても良い。
【００３１】
ロック解除操作が行われなかった場合は（Ｓ２：Ｎｏ）、ロックの状態が維持される（Ｓ７）。ロック解除操作が行われた場合は（Ｓ２：Ｙｅｓ）、高周波音を発生させる（Ｓ３）。高周波音は、高周波音信号発生部４５で生成された信号により、スピーカー４６（送受話器３の受話口７に内蔵されている）より発音される。高周波音の周波数は後述するようにユーザーによって設定可能であるが、例えば１００００Ｈｚである。なお、高周波音は単一の周波数である必要はなく、複数の周波数の混合された音でも良い。即ち、高周波音は所定の帯域を有していても良い。
【００３２】
ロック解除操作を行うユーザーは、送受話器３の受話口７を耳に当てて行うと、高周波音が聞こえやすく好適である。また、周囲に不快な高周波音が聞こえないという長所もある。さらに、電話機はスピーカーが備わっているので、コストの増加を抑えながら本発明を実施することができる。なお、高周波音は本体２のスピーカー２８から発音させても、もちろん良い。なお、通話用のスピーカーの他に、高周波音を発音する専用のスピーカーを設けても良い。
【００３３】
高周波音は、所定の規則に基づいて発音される。例えばパルス状に1回発音される。ロックを解除するには、高周波音を聞いたユーザーは、高周波音に対応した入力操作を行う。例えば、本体２の操作部３０の所定のボタンを1回押下する。所定のボタンは専用ボタンを設けても良く、またコードレスホン１に通常配置されているテンキーなどで代用しても良い。
【００３４】
次に、ユーザーの入力操作が、高周波音の発音の所定の規則に対応してなされたものか否か、即ち所定の対応関係を有しているか否かを判定する（Ｓ５）。所定の規則は、例えば高周波音パルスが1回発音される、などである。これに対応関係を有する所定の操作は、例えば高周波音が発音されてから１秒以内に１回入力操作を行う、などである。対応関係の判定は、主制御部２１で行う。
このように高周波音の発音の規則と入力操作の対応関係を判定することにより、高周波音が聞こえない高齢者が、偶然正しい入力操作を行い、ロックが解除されてしまうことを防止することができる。
【００３５】
高周波音の発音の所定の規則と、入力操作の所定の対応関係は、色々な変形例が考えられる。例えば、高周波音パルスを３回間欠的に発音し、これに対し５秒以内に３回ボタン押下を行うとしても良い。また、高周波音パルスが３回発音された場合、テンキーで「３」を入力するとしても良い。また、高周波音が発音されている間に１回ボタンを押下し、高周波音の発音が終了してからもう１回ボタンを押下するとしても良い。また、高周波音が発音されてから所定の時間、例えば１分間経過しても入力がなければ、所定の規則に対応していないと判定しても良い。また入力操作の仕方は、高周波音の発音に先立って音声ガイダンスを行っても良い。
【００３６】
入力操作と所定の規則とが、所定の対応関係を有していない場合（Ｓ５：Ｎｏ）、ロックは維持される（Ｓ７）。入力操作が所定の規則に対応関係を有している場合（Ｓ５：Ｙｅｓ）、ロックは解除される。ロック解除は例えば本体２の主制御部２１が行う。ロックが解除されると、ＲＡＭ２３に保存されている電話帳データのリセットや編集が可能となる。
【００３７】
このように本発明は、安全性に関する操作や重要なデータ扱う操作にロックをかけ、ロック解除の操作を高齢者に対して制限するものである。本発明では、ロック解除をパスワードや認証カードを用いず、また複雑な操作も必要ないので、ユーザーにとって煩わしさが低減されるという顕著な効果を奏する。また指紋認証のようなロック解除よりも低コストで実現可能である。
【００３８】
上述の実施形態では、高周波音信号発生部４５、スピーカー４６を送受信機３に配置、高周波音に対する入力操作を本体２の操作部３０の所定のボタンとする例を示したが、これに限るものではなく、適宜本体２と送受信機３に分散させて配置しても良い。主制御部、ＲＡＭ、不揮発性メモリも、本体２と送受話器３とが無線接続されているので、いずれに配置されているものを用いても良い。
【００３９】
上述の所定の規則は、コードレスホン１にロックをかけたいユーザーが設定しても良く、また高周波音信号発生部４５でランダムなタイミングでパルスを発生させて、それに対応して入力操作を行うとしても良い。ロックを解除する場合は高周波音を聞いて、それに対応する入力操作を行えばよいとしておけば、ユーザーは高周波音パルスの発生タイミングを知っている必要はない。ランダムに発生させた方が、高齢者によりロックが解除される可能性（解除操作の盗み見など）をより低減できる。
【００４０】
（変形例１）
上述の実施形態では高周波音発生に対し、入力操作が所定の規則と対応関係にあるか否かを、１回の判定で判断し、ロック解除を行っていた。非常に重要性の高いデータのリセット操作や編集の場合、操作制限の管理が、より高いレベルで要求される場合がある。
図５では、高周波音発生（Ｓ３）、入力操作検出（Ｓ４）、所定の規則に対応しているか（Ｓ５）を、所定の回数繰り返す。所定の回数は任意であるが、例えば、２〜５回程度である。これによって、高周波音が聞こえない高齢者によって偶然ロックが解除されてしまうことを防止する機能が高まる。
【００４１】
（変形例２）
発生させる高周波音の周波数の設定は任意であるが、ロックをかけるユーザーの年齢によっても好適な周波数は異なる。通常は１００００Ｈｚ程度などであるが、ロックをかけるユーザーの年齢が低い場合は、より高い周波数に設定すると、より高齢者にとってき聞き取り難く、確実なロックをかけることが可能となる。
【００４２】
最適な周波数を設定するために、周波数の調整機能を有する周波数変更部を設けても良い。周波数変更部の機能は主制御部４１に含まれる。コードレスホン１にロックをかけたいユーザーが、送受話器３を耳に当てた状態で、高周波音のテスト音を発音させる。テスト音は不揮発性メモリ４４に格納されたプログラムに従って、主制御部４１に制御された高周波音信号発生部４５により発生された信号によりスピーカー４５から発音される。
【００４３】
周波数設定は、最初は多くの人が聞き取れる周波数のテスト音、例えば８０００Ｈｚから開始し、徐々に周波数を上げ聞き取れる範囲で設定する。また周波数は段階的に、例えば５００Ｈｚずつ上げても良い。コードレスホン１にロックをかけたいユーザーにとって、確実に聞き取れる最も高い周波数に設定するとよい。これによって効果的な周波数設定が可能となる。
【００４４】
また主制御部４１内に、高周波音の音量を変更する発音音量変更部を有していても良い。高周波音の音量は、例えばささやき声レベルの約２５〜３０ｄＢ、もしくは会話レベルの約４５〜６０ｄＢ程度が好適である。周波数の設定に合わせて音量を調整することによって、より効果的な高周波音の設定が可能となる。
【００４５】
（変形例３）
上述の様に高周波音を最も効果的な周波数や音量に設定したとしても、設定から時間が経過し、ロックをかけるユーザーの年齢が上がることによって、聞こえにくくなってしまう場合がある。そのために、ロックをリセットする機能を設けておくとよい。このリセットは通常行わないため、複雑な操作でよい。例えばパスワード入力や、認証カードを用いる方法や、取扱説明書を読まないと実行できない程度の複雑な手順であっても良い。これらのリセット操作は、本体２のリセット部２７で検出し、主制御部２１内部のロック機能を解除する。
【００４６】
また手順だけでなく、リセット操作ができる機器を制限しても良い。例えば、親子電話機の場合は、子機でしかリセット操作ができないようにしても良い。またリモコンを有する装置の場合は、リモコンでしかリセット操作ができないようにしても良い。
【００４７】
また、単純なリセット操作の場合は、リセット操作完了後、所定の時間が経過後にロックが解除される様にすると良い。例えばリセット操作からリセットされるまでの時間（例えば２日後）を設定できるようにしても良い。また、リセットされる日時（例えば３日後の午後９時）を設定できるようにしても良い。このためには、停電時にリセット操作の情報が消えてしまわない様に、コードレスホン１がバッテリー（一次電池や、二次電池）を備えていると、なお良い。これによって、高齢者が簡単な操作によるリセットを行ったとしても、すぐにロックが解除されないため、安全性に関わる操作や、重要なデータを扱う操作等を防止することができる。
【００４８】
なお、上述の高周波音の周波数の調整機能や、音量の変更機能も、ロックをかけておくことが好ましい。ロックをかけるユーザーが高周波音を聞き取り難くなった場合は、リセット機能を用いて、周波数調整や音量調整を行うことができる。
【００４９】
（変形例４）
コードレスホンを例にとって説明したが、本発明は上述の様に、安全性に関する操作や重要なデータ扱う操作を、高齢者に対して制限するものである。例えば自動車などの車両の場合は、本発明の制御機器によるロックを、エンジンのスターターにかけるとよい。この場合、高周波音の発音部はラジオなどの既存のスピーカーを用いても良く、また専用のスピーカーを配置しても良い。操作部も既存の操作ボタン等を利用しても良いし専用のボタン等を設けても良いし、既存の操作ボタンと兼用しても良い。このようにすれば、高齢者が誤って自動車のエンジンをかけてしまうことを防止できる。工作機械、農業用機器、暖房器具、コンロなどの場合も同様である。
【００５０】
またパーソナルコンピュータ、タブレット端末、携帯電話機（スマートホンなど）の様に重要なデータを扱う装置の場合も、同様にデータ消去操作や、編集操作などにロックをかけることができる。
【００５１】
本発明は、上述した実施形態に限られるものではなく、特許請求の範囲及び明細書全体から読み取れる発明の要旨或いは思想に反しない範囲で適宜変更可能であり、そのような変更を伴う制御装置もまた本発明の技術的範囲に含まれる。
【産業上の利用可能性】
【００５２】
本発明は、安全性に関する操作や重要なデータ扱う操作等を、高齢者に対して制限する制御装置に好適に採用され得る。
【符号の説明】
【００５３】
１…コードレスホン、２…本体、３…送受話器、４…クレイドル、５…表示部、６…操作部、７…受話口、８…表示部、９…操作部、１０…送話口、２１…主制御部、２２…無線部、２３…RAM、２４…不揮発性メモリ、２５…公衆回線制御部、２６…公衆回線、２７…リセット部、２８…スピーカー、２９…表示部、３０…操作部、４１…主制御部、４２…無線部、４３…RAM、４４…不揮発性メモリ、４５…高周波音信号発生部、４６…スピーカー、４７…表示部、４８…操作部、４９…マイク
【図１】
2018056787.tif 000003
【図２】
2018056787.tif 000004
【図３】
2018056787.tif 000005
【図４】
2018056787.tif 000006
【図５】
2018056787.tif 000007